(57)【要約】【課題】駐車場予約が時間単位、かつ、同一の場所（駐車場）や複数の場所（駐車場）を違う時間帯毎に予約することができるようにする。【解決手段】利用者が、スマホ携帯端末などから、駐車したい目的地や時間帯を含む情報を入力したとき、当該情報に適合する空き駐車場を検索し、駐車可能な場所があれば利用者へ通知し、同一の場所（駐車場）や複数の場所（駐車場）を違う時間帯毎の駐車予約を可能とする手段を備えた駐車場予約システム。【選択図】図１
2018084906.tif 000002
【特許請求の範囲】
【請求項１】
駐車情報提供端末装置及び利用者端末装置とネットワークを介して連携して、駐車予約処理及び利用当日処理を実行するサーバを備えた駐車場予約システムであって、
前記サーバは、
演算装置と、記憶装置と、通信装置と、を有し、
前記記憶装置は、
前記駐車情報提供端末装置から送信され駐車場所提供者名、駐車空き情報、駐車位置情報、駐車提供可能時間帯、を含む駐車提供情報及び前記利用者端末装置から利用者名、利用希望時間帯、駐車希望場所、を含む利用者情報を記憶し、
前記演算装置は、
利用者から前記利用者端末装置を介して駐車予約依頼を受けたとき、前記情報管理記憶部から、利用者の前記利用希望時間帯、駐車希望場所、に適合する駐車空き情報を検索、取得し、また、利用者から前記利用者端末装置を介して利用予約可情報を受けたとき、利用者が駐車予約を確定した駐車空き情報を利用予約情報として管理する利用予約管理機能部と、
利用者が駐車空き情報を元に駐車予約を確定した空き駐車場に駐車する場合、当該所望の空き駐車場まで利用者を誘導する誘導情報を出力する駐車場誘導機能部と、を含み、
前記通信装置は、
前記駐車空き情報及び前記誘導情報を、前記ネットワークを介して前記利用者端末装置に送信し、また、前記利用予約可情報を、前記ネットワークを介して受信する通信機能部を含み、
前記演算装置は、
前記記憶装置と、前記通信装置と連携し、前記利用予約管理機能部、前記駐車場誘導機能部、前記通信機能部、により、駐車予約処理及び利用当日処理を実行し、
一人の利用者に対して、時間単位での駐車予約、かつ、同一の駐車エリア及び／又は複数の駐車エリアでも違う時間帯毎の駐車予約を可能としたことを特徴とする駐車場予約システム。
【請求項２】
前記利用者情報は、予約情報及び／又は過去利用情報からなり、当該予約情報は、利用者名ｉｄ、利用希望時間帯、希望場所、を含み、当該過去利用情報は、利用時間、利用場所、利用日時、利用状況、利用料金、利用者評価、迷惑時還元料、ポイント情報、の何れか１つ以上の情報を含む、請求項１に記載された駐車場予約システム。
【請求項３】
前記空き駐車場まで利用者を誘導する誘導情報は、駐車場停車位置情報、利用者への提供情報、地図情報、誘導ナビ情報、利用予定時間帯音声通知情報、の何れか１つ以上の情報を含むことを特徴とする請求項１に記載された駐車場予約システム。
【請求項４】
前記サーバは、
前記利用者端末装置から送信された利用希望時間帯の利用予約の終了時間に近づいたとき、又は終了時間に達したとき、前記通信機能部を介して、前記利用者端末装置の利用者に対して、利用終了通知を示す情報を送信する機能を有する、
ことを特徴とする請求項１に記載された駐車場予約システム。
【請求項５】
駐車場予約システムは、更に、
駐車場に設置された駐車エリア装置を備え、
前記駐車エリア装置は、
前記サーバに対して、利用者による駐車利用開始及び駐車利用終了を、前記ネットワークを介して通知する機能を有する操作装置と、利用者の駐車開始及び駐車終了操作に応じて、駐車エリアへの入庫及び出庫を可能とする入庫／出庫装置を備えたことを特徴とする請求項１に記載された駐車場予約システム。
【請求項６】
前記入庫／出庫装置は、車を目的地の駐車エリアに入庫したとき、ゲートをロック閉状態とし、出庫のとき、ゲートを非ロック状態とするロック機構からなることを特徴とする請求項５に記載された駐車場予約システム。
【請求項７】
駐車場予約システムは、更に、
予め所定期間極めで駐車場を借りている契約者が、前記駐車提供端末を介して、自分の利用していない時間帯を含む駐車空き情報を送信したとき、当該駐車空き情報を受信して前記記憶装置に第三者への貸し出し用として登録する手段、
を備えたことを特徴とする請求項１に記載された駐車場予約システム。
【請求項８】
前記サーバは、更に、
精算管理機能部を有し、当該精算管理機能部は、
前記管理情報記憶部に料金体系を格納する手段と、
前記利用希望時間帯を含む利用者情報を管理する手段と、
前記料金体系を元に基本料、超過料、季節料、利用者割引ポイント、予約手数料、の各情報を反映して料金を精算する手段、
を備えたことを特徴とする請求項１に記載された駐車場予約システム。
【請求項９】
前記精算管理機能部は、
料金を精算する精算機能と、当該料金を精算する機能により精算した料金を、電子マネー又はクレジットカードにより、決済可能とする機能を有する
ことを特徴とする請求項８に記載された駐車場予約システム。
【請求項１０】
前記精算管理機能部は、
一人が駐車エリアを複数の時間帯で利用した場合、料金を精算するに際して、各時間帯における料金を合計し、かつ、過去の利用回数、利用合計時間、駐車場の利用率の低い時間帯、の１つ以上を元に評価し、当該評価に応じた評価ポイントを評価ポイントカード又は支払金額より差し引く機能を有する
ことを特徴とする請求項８に記載された駐車場予約システム。
【請求項１１】
駐車場予約システムは、更に、
利用者が、前記利用者端末装置から、同一日において、複数の時間帯で、当該時間帯に駐車可能な場所の駐車エリアを予約可能とする機能を有する
ことを特徴とする請求項１に記載された駐車場予約システム。
【発明の詳細な説明】
【技術分野】
【０００１】
本発明は、駐車場予約システムに関し、例えば、駐車場提供端末装置、利用者端末装置や入庫／出庫装置、などと連携し、利用者端末装置から利用者希望情報を含む駐車予約依頼を受けたとき、当該駐車予約依頼の利用者希望情報に適合する駐車場を検索・取得して、時間単位、かつ、１つ以上の時間帯で利用可能な１つ以上の駐車場の予約を可能とする駐車場予約システムに関する。
【背景技術】
【０００２】
駐車場予約システムとして、例えば、特開２０１３−２１４２６５号公報（特許文献１）に記載された技術がある。この公報には、「駐車場オーナーから受託されて駐車場を管理する管理者端末と、空き駐車場を求める利用者端末と、前記管理者端末及び利用者端末に対してインターネットを介して接続されるアプリサービス運営サーバとを含む空き駐車場管理システムであって、前記アプリサービス運営サーバは、空き駐車場オーナーの属性及び所有する駐車場の情報を、予め駐車場データベースに登録する手段と、前記利用者の識別ＩＤ及びパスワードを、予め利用者データベースに登録する手段と、前記提供者端末からインターネットを介して、空き駐車場の時間賃借許可通知を受信し、駐車場データベースに賃借可能な空き駐車場として記憶する手段と、前記利用者端末からインターネットを介して、利用者の識別ＩＤの入力を促し、入力された識別ＩＤを前記利用者データベースへ照会して、利用者端末からのアクセスを許可するか否かを決定する手段と、許可された利用者端末からインターネットを介して、位置情報を含んだ空き駐車場検索要求を受信し、該位置情報をキーワードとして前記駐車場データベースから空き駐車場を検索して、指定位置近傍に存在する空き駐車場を抽出する手段と、前記利用者端末に前記空き駐車場情報を送信する手段とを備えたことを特徴とする空き駐車場管理システム。」との記載がある。
【先行技術文献】
【特許文献】
【０００３】
【特許文献１】特開２０１３−２１４２６５号公報
【発明の概要】
【発明が解決しようとする課題】
【０００４】
特許文献１では、駐車場を時間単位で駐車予約、時間単位で同一の駐車エリア（駐車場）を違う時間帯毎に予約することまでは想定されていない。そのため、駐車場利用者は、１区画で短時間の駐車予約ができ、駐車場提供者及び駐車場管理者は、本人が利用しない空き時間でも他者へ貸すことができるという効果に留まる。
【０００５】
換言すれば、駐車場利用者側にとっては、１区画で予約できても、同一の駐車エリア（駐車場）を違う時間帯毎に予約することができず、利用者にとって、利便性にかけ、また、駐車場の提供者及び駐車場管理者側にとっては、十分な空き駐車スペースの有効活用が行えず、経済性の面で非効率であった。
【０００６】
そこで、本発明では、時間に着目し、例えば、遠く離れた場所でも時間単位での駐車場予約ができ、かつ、同一の場所（駐車エリア）や複数の場所（駐車エリア）でも違う時間帯毎に予約することができる技術を提供することを目的とする。
【課題を解決するための手段】
【０００７】
上記課題を解決するために、代表的な本発明の駐車場予約システムは、
駐車情報提供端末装置及び利用者端末装置とネットワークを介して連携して、駐車予約処理及び利用当日処理を実行するサーバを備えた駐車場予約システムであって、
前記サーバは、
前記駐車情報提供端末装置から送信され駐車場所提供者名、駐車空き情報、駐車位置情報、駐車提供可能時間帯、を含む駐車提供情報及び前記利用者端末装置から利用者名、利用希望時間帯、駐車希望場所、を含む利用者情報を記憶する情報管理記憶部と、
利用者から前記利用者端末装置を介して駐車予約依頼を受けたとき、前記情報管理記憶部から、利用者の前記利用希望時間帯、駐車希望場所、に適合する駐車空き情報を検索、取得し、また、利用者から前記利用者端末装置を介して利用予約可情報を受けたとき、利用者が駐車予約を確定した駐車空き情報を利用予約情報として管理する利用予約管理部と、
利用者が駐車空き情報を元に駐車予約を確定した空き駐車場に駐車する場合、当該所望の空き駐車場まで利用者を誘導する誘導情報を出力する駐車場誘導機能部と、
前記駐車空き情報及び前記誘導情報を、前記ネットワークを介して前記利用者端末装置に送信し、また、前記利用予約可情報を、前記ネットワークを介して受信する通信機能部と、
前記情報管理記憶部、前記利用予約管理部、前記駐車場誘導機能部、前記通信機能部、の各部を制御し、当該各部と連携して、駐車予約処理及び利用当日処理を実行を可能とする演算部と、
を有し、
一人の利用者に対して、時間単位での駐車予約、かつ、同一の駐車エリア及び／又は複数の駐車エリアでも違う時間帯毎の駐車予約を可能としたことを特徴とする。
【０００８】
前記利用者情報は、予約情報及び／又は過去利用情報からなり、当該予約情報は、利用者名ｉｄ、利用希望時間帯、希望場所、を含み、当該過去利用情報は、利用時間、利用場所、利用日時、利用状況、利用料金、利用者評価、迷惑時還元料、ポイント情報、の何れか１つ以上の情報を含む。
【０００９】
前記空き駐車場まで利用者を誘導する誘導情報は、駐車場停車位置情報、利用者への提供情報、地図情報、誘導ナビ情報、利用予定時間帯音声通知情報、の何れか１つ以上の情報を含む。
【００１０】
前記制御部は、
前記利用者端末装置から送信された利用希望時間帯の利用予約の終了時間に近づいたとき、又は終了時間に達したとき、前記通信機能部を介して、前記利用者端末装置の利用者に対して、利用終了通知を示す情報を送信する機能を有する、
ことを特徴とする。
【００１１】
駐車場予約システムは、更に、
駐車場に設置された駐車エリア装置を備え、
前記駐車エリア装置は、前記サーバに対して、利用者による駐車利用開始及び駐車利用終了を、前記ネットワークを介して通知する機能を有する操作装置と、利用者の駐車開始及び駐車終了操作に応じて、駐車エリアへの入庫及び出庫を可能とする入庫／出庫装置を備えたことを特徴とする。
【００１２】
前記入庫／出庫装置は、車を目的地の駐車エリアに入庫したとき、ゲートをロック閉状態とし、出庫のとき、ゲートを非ロック状態とするロック機構からなる。
【００１３】
駐車場予約システムは、更に、
予め所定期間極めで駐車場を借りている契約者が、前記駐車提供端末を介して、自分の利用していない時間帯を含む駐車空き情報を送信したとき、当該駐車空き情報を受信して前記管理情報記憶部に第三者への貸し出し用として登録する手段、
を備えたことを特徴とする。
【００１４】
駐車場予約システムは、更に、
精算管理部を有し、
前記精算管理部は、
前記管理情報記憶部に料金体系を格納する手段と、
前記利用希望時間帯を含む利用者情報を管理する手段と、
前記料金体系を元に基本料、超過料、季節料、利用者割引ポイント、予約手数料、の各情報を反映して料金を精算する手段、
を備えたことを特徴とする。
【００１５】
前記精算管理部は、
料金を精算する精算機能と、当該料金を精算する機能により精算した料金を、電子マネー又はクレジットカードにより、決壊可能とする機能を有する
ことを特徴とする。
【００１６】
前記精算管理部は、
一人が駐車エリアを複数の時間帯で利用した場合、料金を精算するに際して、各時間帯における料金を合計し、かつ、過去の利用回数、利用合計時間、駐車場の利用率の低い時間帯、の１つ以上を元に評価し、当該評価に応じた評価ポイントを評価ポイントカード又は支払金額より差し引く機能を有する
ことを特徴とする。
【００１７】
駐車場予約システムは、更に、
利用者が、前記利用者端末装置から、同一日において、複数の時間帯で、当該時間帯に駐車可能な場所の駐車エリアを予約可能とする機能を有する
ことを特徴とする。
【発明の効果】
【００１８】
本発明によれば、駐車場の利用者は、時間単位での駐車予約、かつ、同一の場所及び／又は複数の場所での違う時間帯毎に駐車予約を行うことができる。
その結果、時間帯で細目に駐車予約を行うことができ、駐車場の利便性が向上し、駐車場提供者や管理者は、駐車場の空き時間を少なくでき、駐車場を有効活用することができる。
上記した以外の課題、構成及び効果は、以下の実施形態の説明により明らかにされる。
【図面の簡単な説明】
【００１９】
【図１】図１は、本発明の駐車場予約システムの全体構成を示すブロック図。
【図２】図２は、一般者駐車提供端末装置から駐車場予約システムに提供する駐車提供情報を示す図。
【図３】図３は、利用者端末装置から駐車場予約システムへログイン、また、予約する際に必要となる利用者情報を示す図。
【図４】図４は、精算管理部での精算処理機能を示す図。
【図５】図５は、駐車場誘導機能部での処理機能を示す図。
【図６】図６は、利用者情報ＤＢの情報を示す図。
【図７】図７は、駐車空き情報ＤＢの情報を示す図。
【図８】図８は、料金情報ＤＢの情報を示す図。
【図９】図９は、駐車管理テーブルの情報を示す図。
【図１０】図１０は、駐車場予約システムで確保した駐車エリアに設置された駐車エリア装置の一例を示す概略図。
【図１１】図１１は、駐車場予約システムに対して駐車場の予約を行う際の処理手順の概要を説明するフローチャート。
【図１２】図１２は、料金体系イメージを示す図。
【図１３】図１３は、目的地格納テーブルを示す図。
【図１４】図１４は、駐車場利用当日の利用者と駐車場予約システムが行う処理手順の概要を説明するフローチャート。
【図１５】図１５は、駐車エリアイメージを示す図。
【発明を実施するための形態】
【００２０】
まず、本発明に至る詳細背景について説明する。
従来の駐車場予約システムは、上述したように、その大半が、エリア単位、区画単位での予約であり、例えば、１つの場所の駐車エリアについて、複数の時間帯の予約を可能とする時間的概念を取り入れた予約システムは存在しない。
【００２１】
従って、例えば、行楽地や、繁華街などへ車で向かうとき、その目的地で、駐車場を確保しようとする場合、利用車数＞駐車場数の関係式が生じ、駐車場確保に苦戦する現状である。
このため、目的地から離れた遠方にある駐車場を利用せざるを得なかったり、利用したい時間が数分であっても、一日いくらの駐車場に止めて、高額な利用料金を支払ったり、または、予定時間よりずいぶん早く目的地へ向かい、数少ない駐車場の確保に当たらなければならないなどの、利用者にとって、予約のための作業負担の大きい状況が生じる。
【００２２】
また、目的地の駐車場に到着して、もし、満車の場合、入場ゲートに並び、順番待ちとなるが、すでに駐車している車がいつまで止めておくのかは、先に駐車した利用者の利用時間次第であり、待っている側から判断する術がない。
この場合、利用者は、ただ空きができるまで待ち続けるか、それとも、あきらめて他の駐車場を探すかの選択を余儀なくされる。
【００２３】
また、駐車場を利用する場合、例えば、３０分でいくら、１時間でいくらなどの料金体系の駐車場もあるが、もし、例えば、１時間１０分利用しても、１時間３０分（切り上げ）の利用料金を支払ったり、２時間（切り上げ）料金を払うなど無駄な費用が発生してしまうことになる。
【００２４】
以上のような事情から、利用者は駐車場確保に、必要以上の利用料金を支払うことになる場合がある。また、駐車場の確保ができないことを考えると、例えば、駐車に必要な時間が３時間であっても、一日終日料金（MAX料金）を支払っても仕方がないと妥協に到っているのが実情である。
【００２５】
一方、現在の駐車場予約システムにおける駐車場の利用料金体系において、一日固定料金で、何度でも出し入れが可能なサービスを行っている駐車場も実現されている。
この場合、例えば、利用者が営業マン等で、駐車場周辺の取引先を随時訪問し、駐車場に戻って、車内で訪問結果報告を済ませ、また、次の得意先へ訪問に行くようなケースであれば、このサービスは、利用者にとって有効である。
しかし、その反面、利用者が、イベントや、その他、史跡など、当日に複数の訪問先を巡るために、各訪問先付近の駐車場を利用したいという、ケースについては、対応されていない。
利用者からすると、同じ一日料金を支払うのであれば、自分の利用したい場所へ移動しながら、有効に駐車場を利用したいと考えるのが自然な道理である。
【００２６】
そこで、最近では、上述したような駐車場不足と有効利用に向けた現状改善を行うべく、駐車場経営側では、ＩＣＴ技術などを活用して、色々な取り組みを実施し、今までの単体駐車場の提供から、ネットワーク化された総合駐車場の提供へと変化を続けている。
現在の駐車場サービスでは、利用者のニーズを考慮して、以下のような特徴を反映させた駐車場経営が主力となっている。
【００２７】
１）スマートフォンなどの通信機能を有する端末などから目的地付近の駐車場を検索し予約ができる機能。
２）予約時に目的地付近にある複数の駐車場の位置と、距離、利用料金などを表示する機能。
３）駐車場に停止後、何度も出車、入車が可能なサービス。
４）料金精算がクレジットあるいは、電子マネーで可能なサービス。
５）誰でも、自分の空き地スペースを駐車場として登録し、貸出せる駐車場シェアサービス。
【００２８】
例えば、上記（３）の一日固定料金で、何度でも出し入れが可能なサービスの場合、利用者が営業マン等で、駐車場周辺の取引先を随時訪問し、駐車場に戻って、車内で訪問結果報告を済ませ、次の得意先を訪問するようなケースであれば、このサービスは、利用者にとって有効である。
しかし、１つの場所の駐車エリアについて、複数の時間帯の予約を可能とする時間的概念までは考慮されていない。
【００２９】
本発明は、上述した状況に鑑み、時間に着目し、駐車場の場所を確保する機能に加えて、空いた時間を有効に活用でき、また、例えば、本システムを導入する全国の駐車場管理データをビックデータとして扱うことにより、遠く離れた場所でも時間単位での駐車予約が、かつ、１つ以上の時間帯で駐車予約を可能とする手段を設け、上述した従来の駐車場予約システムにおける課題を是正したものである。
【００３０】
すなわち、本発明の駐車場予約システムは、利用者側から利用したい場所、日時、時間帯などの予約したい情報（利用者情報）を含む予約依頼を受けたとき、当該利用者情報の場所、日時、時間帯などに適合した空き駐車場を検索し、駐車可能な空き駐車場を見つけ出して取得し、その結果及び利用者を駐車位置まで誘導する情報などを合わせて利用者側へ通知する機能を有するシステムである。
【００３１】
また、利用料金の精算処理を行って、利用料金を決済する機能を有するシステムでもある。
従って、駐車場予約システムを利用する利用者は、予約した駐車場を予約日時、予約時間帯だけ利用した後は、その利用に見合う使用料を駐車場管理者側に支払うことになる。
【００３２】
これにより、駐車場管理者側は、空き時間帯の駐車スペースを有効活用でき、利用者に対して無駄な利用金額を支払わないで済ませることができ、結果として、金銭効果と事前予約による利便性の向上が図れる駐車場予約システムを提供することができる。
以下、その実施例について、図面を参照して説明する。
【実施例】
【００３３】
図１は、本発明の駐車場予約システム１の全体構成を示すブロック図である。
【００３４】
駐車場予約システム１は、サーバ（計算機）１０、一般者駐車提供端末装置２０、利用者端末装置３０、駐車エリア装置４０、ネットワーク５０、を有する。
【００３５】
一般者駐車提供端末装置２０は、例えば、個人所有の駐車場を第三者に有料で提供したいような場合、又は個人が月極めで借用し、日中使用していない駐車場を更に他の第三者に有料で貸し出したいような場合、駐車提供情報（駐車提供者名、提供可能日、提供可能場所、提供可能時間帯／時分、などの情報）を入力し、そして、入力した駐車提供情報をネットワーク上に送信する機能を有する端末装置であり、例えば、スマートフォンなどの携帯端末である。
【００３６】
駐車提供情報とは、例えば、図２に示すように、
00  料金情報ＤＢアドレス
01  場所提供者名
02  提供可能日
31  提供可能場所（駐車場）
32  住所・ＧＰＳ情報・地図情報
33  提供可能時間帯１
（１）hhmm−hhmm
（２）hhmm2−hhmm2
41  提供可能日
42  提供可能場所（駐車場）
43  住所・ＧＰＳ情報・地図情報
44  提供可能時間帯１
（１）hhmm−hhmm
（２）hhmm2−hhmm2
などである。
【００３７】
利用者端末装置３０は、一般者駐車提供端末装置２０を介して提供された駐車場を利用する場合、利用者情報（利用者名、利用希望場所（含目的地）、利用希望時間帯、などの情報）を入力し、そして、入力した利用者情報をネットワーク上に送信し、予約する機能を有する端末装置であり、例えば、スマートフォンなどの携帯端末である。
【００３８】
利用者情報は、例えば、図３に示すように、
予約画面情報として、
011  利用者名
012  ログイン
01121  利用者ID
01121  新規発行ID
013  利用希望時間帯
希望１：hhmm1−hhmm1
希望２：hhmm2−hhmm2
014  駐車希望場所
であり、
また、検索結果画面情報として、
021  予約可否
022  予約場所
0221  駐車場位置情報
0221  地図情報
023  予約時間帯
時間帯１
時間帯２
024  利用基本料金
0241  基本料金
0242  予約手数料（後で返金）
などである。
【００３９】
サーバ（計算機）１０は、演算装置（プロセッサ／ＣＰＵ、他）１１、通信装置１５、記憶装置１６、を有する。
演算装置１１は、精算管理機能部１１１、駐車場誘導機能部１１２、利用予約管理機能部１１３、ＧＰＳ機能部１１４、を含み、通信装置１５、通信インターフェースを含み、記憶装置１６は、管理情報を格納し管理する管理ＤＢからなる。
【００４０】
精算管理機能部１１１は、利用者が駐車場を利用したとき、その利用料金を算出し、精算する精算機能や決済機能を有する。
【００４１】
精算管理機能部１１１の精算機能や決済機能とは、例えば、図４に示すように、
01  利用時間算出
02  予定時間とのずれ検証
03  利用率、ポイント割引計算
04  電子決済／クレジット認証
05  精算通知、領収書発行
06  異常時処理
07  決済不可時の代替処理
08  利用完了結果記録（ＤＢ）
などである。
【００４２】
駐車場誘導機能部１１２は、利用者が予約した駐車場の位置まで利用者を誘導する駐車場誘導機能を有する。
【００４３】
駐車場誘導機能部１１２の誘導機能とは、例えば、図５に示すように、
駐車時には、
011  駐車場停車位置情報入手
012  利用者への情報提供
013  GPS情報、地図情報提供、
014  誘導ナビ
015  利用予定時間帯音声通知
であり、
予定終了時には、
021  利用予定終了通知
などである。
【００４４】
利用予約管理機能部１１３は、利用者から提供される利用者情報の予約情報を管理する機能を有する。
【００４５】
利用予約管理機能部１１３で扱う予約情報は、例えば、利用者名、ログイン、利用希望時間帯（利用希望時間単位）、駐車希望場所、などの各情報である。
【００４６】
ＧＰＳ機能部１１４は、例えば、周知のインターネットＧＰＳ位置情報検索システムや地図情報検索システムを介して、利用者を駐車場まで誘導するに必要な位置情報、地図情報、などを取得する機能を有する。
【００４７】
通信装置１５は、ネットワーク５０を介して一般者駐車提供端末装置２０、利用者端末装置３０、駐車エリア装置４０、などの各装置との間で情報の送受を行う通信インターフェースを含む装置である。
【００４８】
記憶装置１６は、各種情報を記憶、登録、管理する機能を有する装置であり、例えば、複数の記憶部（データベース：以下、ＤＢと略する）からなる。ＤＢは、例えば、利用者情報を記憶する利用者情報ＤＢ１６１、駐車空き情報を記憶する駐車空き情報ＤＢ１６２、料金情報を記憶する料金情報ＤＢ１６３、その他の管理情報を記憶する管理情報ＤＢ１６４、など含む。
【００４９】
利用者情報ＤＢ１６１は、例えば、図６に示すように、
予約情報と過去利用情報との各エリアを有し、
予約情報として、例えば、利用者名ｉｄ、利用者希望時間帯（希望１：ｈｈｍｍ１−ｈｈｍｍ１、希望２：ｈｈｍｍ２−ｈｈｍｍ２）、希望場所：××周辺、ｙｙ周辺、・・、を記憶し、
過去利用情報として、例えば、利用時間、利用場所、利用日時、利用状況（予定通り、超過、来ず、他）、利用料金、利用者評価、迷惑時還元料、ポイント情報、などの各情報を記憶する。
【００５０】
駐車空き情報ＤＢ１６２は、例えば、図７に示すように、
駐車場名１、管理コード連番、複数の停車エリア（停車エリア１、・・・ｎ）などの各情報を格納する各エリアを有する。
停車エリアには、識別番号、空き情報（空・埋）、年月日（空き：ｈｈｍｍ−ｈｈｍｍ）、などを含んでいる。
【００５１】
料金情報ＤＢ１６３は、例えば、図８に示すように、
01  登録駐車場１  アドレス
02  基本料
03  超過料金
04  季節料金
05  利用者割引（／ポイント）
06  手数料
07  迷惑時還元料金
などの各情報を記憶する各エリアを有する。これは、駐車場を管理する側で予め設定する。
【００５２】
管理情報ＤＢ１６４は、例えば、図９に示すように、駐車場管理テーブルを有する。
駐車場管理テーブルは、複数の登録駐車場エリア（１、・・ｎ）を含み、当該登録駐車場エリア（１、・・ｎ）には、
11  駐車場名
12  管理コード連番
13  住所／連絡先
14  ＧＰＳ位置情報
16  周辺情報
17  利用条件テーブル
18  駐車可能台数
19  利用可能情報
20  料金ＤＢ該当アドレス
21  料金区分
などの項目を有する。また、時間枠（日・何時空何時）を管理する情報の項目を有する。この項目は、別途、それ専用のＤＢを設けてもよい。
【００５３】
周辺情報の項目には、お知らせ情報（××道路工事中、など）付近情報（Ａ映画館、××学校、ｙｙまで徒歩ｋｍ）を含み、利用条件テーブルには、テーブルアドレス、駐車場、などを含む。
【００５４】
サーバ１０における演算装置１１は、例えば、プロセッサやＣＰＵなどからなり、内部に格納されたプログラムに従って、上記した各部の動作制御を司り、各部との間で駐車場予約処理、利用当日処理を実行する機能を有する。
【００５５】
サーバ１０は、利用者側から利用者情報（駐車場予約依頼）を受けたとき、記憶装置１６を検索し、そして、
利用者の利用者情報を元に利用者が希望する場所、日時、時間帯（駐車開始時刻から駐車終了時刻）に適合する空き駐車場を検索し、
その検索結果（空き駐車場に関する情報）をネットワーク５０、利用者端末装置３０経由で利用者側に通知する、などの手段／機能を有する。
その後、利用者が駐車場の予約を確定すると、利用当日には、利用者へ利用通知を行う。
【００５６】
利用者から入力された利用者情報は、記憶装置１６の利用者情報ＤＢ１６１の該当エリアに記録される。
【００５７】
また、併せて、サーバ１０は、ＧＰＳ機能部１４、駐車場誘導機能部１２、通信装置１５、などと連携して、目的地の駐車場の位置情報や地図情報などを記憶装置１６から取得し、利用者側に通知し、利用者を目的の駐車場まで誘導する。
【００５８】
利用者は、サーバ１０側から送られてきた地図情報を元に目的地の駐車場に到着すると、予約の駐車位置（駐車エリア）に駐車するため、駐車エリア装置４０の操作装置４１（図１０参照）を利用して、予約コードなど、例えば、予めシステム側から通知された確認コードを入力する。駐車エリア装置４０の構成及び機能については後述する。
すると、駐車エリア装置４０の操作装置４１に入力された確認コードは、ネットワーク５０を介して駐車場予約システム１側に送信される。
【００５９】
図１０は、駐車場の駐車エリアに設置された駐車エリア装置４０の概略構成を示す模式図である。
【００６０】
駐車エリア装置４０は、例えば、車を駐車する駐車エリアに設置された入庫／出庫装置４２と、駐車エリア４２２の近傍に設置された通信機能を有する操作装置４１、を有する。入庫／出庫装置４２と操作装置４１は、連携して動作するように構成されている。
【００６１】
入庫／出庫装置４２は、施錠機能を有し、例えば、入庫時には、ロック機構やゲート機構を、車の出入りを規制するように閉錠し、出庫時には、車が出庫できるように開錠する。
【００６２】
入庫／出庫装置４２は、例えば、車を駐車エリアに入庫（駐車）したとき、車の出入りを可能な状態にするロック開錠状態と、不可能な状態にする非ロック状態（閉錠状態）とするロック機構４２１を備えている。
なお、ロック機構４２１は、一例であって、駐車場の出入り口に設置したゲート機構を開錠、閉錠、するものであってもよい。
【００６３】
操作装置４１は、駐車場の利用開始確認（返信）を行うとき、操作するスイッチボタン（スイッチ「入」ボタン）４１１を有し、利用者がスイッチボタン４１１を「入」としたとき、利用者確認情報を、ネットワーク５０を介して本システムに対して送信し、
また、本システムとの間でネットワーク５０を介して各種情報の送受を行う通信機能を有する通信部４１３、各種情報を表示するディスプレイ４１２、などを備えている。
【００６４】
また、操作装置４１は、入庫／出庫装置４２と電気的に接続され、ロック機構４２１のロック状態（４２１）や非ロック状態を検知し、駐車エリアの利用開始時間や利用終了時間、などを本システム側に通知する機能を有する。
【００６５】
操作装置４１からの確認コードを受けたサーバ１０は、システム内で管理する管理情報と照合・確認する。
このとき、照合できると、駐車エリア装置４０側に対して、ロック機構４２１を開錠状態に制御する制御信号を送信し、当該制御信号により、ロック機構４２１を開錠して、駐車エリア４２２への入庫を可能状態にする。
【００６６】
入庫後は、入庫／出庫装置４２は閉錠し、車の出庫を規制する。このとき、サーバ１０は、利用者の予約時間を管理しており、駐車時間終了時刻が近づくと、利用者側に対して、利用時間終了が近い旨の通知を行い、出庫するための入力操作を促す。
【００６７】
利用時間終了が近い旨の通知を受けた利用者側は、出庫時に、予約コードなど、例えば、予めシステム側から通知された確認コードを駐車エリア装置４０の操作装置４１に入力する。
すると、駐車エリア装置４０の操作装置４１に入力された確認コードは、ネットワーク５０を介して駐車場予約システム側に送信される。
【００６８】
確認コードを受けたサーバ１０は、システム内で管理する管理情報と照合・確認する。
このとき、特に、問題なければ、駐車エリア装置４０側に対して、入庫／出庫装置４２を開錠状態に制御する制御信号を送信し、当該制御信号により、ロック機構のゲートを開錠して、駐車エリアへの出庫を可能状態にする。
【００６９】
そして、出庫に当たり、サーバ１０は、精算管理機能部１１１及び記憶装置１６の料金情報ＤＢ１６３と連携し、利用金額の精算処理を行い、利用者側へ利用金額を通知し、利用者による合意が得られあと、入庫／出庫装置４２を開錠する。
【００７０】
駐車場利用料金の精算処理は、記憶装置１６の料金情報ＤＢ１６３に格納されている、基本料金、超過料金、季節料金、利用者割引ポイント、手数料、などを元に利用時間に応じて料金を算出する。
【００７１】
また、精算決済は、例えば、精算管理機能部１１１を利用して、電子マネーやクレジットカードなどで決済できるようにする。
【００７２】
図１１は、利用者が利用者端末装置３０を使用して駐車場予約システム１に対して駐車場の予約を行う際の処理手順の概要を説明するフローチャートである。
【００７３】
以下、予約処理について説明する。
ステップＳ２００：利用者は、駐車場予約システム１（以下、本システムと称する）にログインし、利用者端末装置３０に駐車予約に必要な情報を入力する。
【００７４】
駐車予約に必要な情報とは、例えば、図６に示す利用者名、ログイン（利用者ｉｄ）、利用日時、利用希望時間帯（希望１、希望２）、利用希望場所、などである。利用者端末装置３０から入力されたこれらの情報は、本システム１へ送信され、記憶装置１６に記憶される。
【００７５】
この駐車予約に必要な情報の入力は、利用者端末装置３０の表示部（図示せず）に表示される予約画面に従って、入力手段（図示せず）から実行する。
【００７６】
そして、利用者は、本システムにログインした後、目的地付近の駐車場を検索するために、利用者端末装置３０より「日時」、「目的地」を入力する。
【００７７】
ステップＳ２０１：本システムは、利用者が利用者端末装置３０より入力した「目的地」を受けて、当該の「目的地」の情報を元に、ＧＰＳ機能部１４（例えば、周知のインターネットＧＰＳ位置情報検索システムや地図情報検索システム）にて、ＧＰＳ位置情報を検索し、利用者の「目的地」のＧＰＳ位置情報を採取する。
【００７８】
ステップＳ２０２：本システムは、ステップＳ２０１にて採取したＧＰＳ位置情報を「日時」、「目的地」と共に記憶装置１６（管理情報ＤＢ１６４）の目的地格納テーブル（図１３参照）に格納する。
【００７９】
ステップＳ２０３：本システムは、「次目的地」があるか否かを判定し、「次目的地」がある場合には、ステップＳ２００に戻り、ステップＳ２０１〜Ｓ２０２の処理を繰り返す。「次目的地」がない場合には、次のステップＳ２０４に進む。
【００８０】
ステップＳ２０４：本システムは、ステップＳ２０１にて採取した「目的地」のＧＰＳ位置情報をキーにして、目的地格納テーブルからＧＰＳ位置情報を取り出す。
【００８１】
ステップＳ２０５：本システムは、ステップＳ２０４にて取り出した「目的地」のＧＰＳ位置情報を検索キーにして、駐車場管理テーブル（図９参照）に格納されている、各駐車場のＧＰＳ位置情報を全件検索し、例えば、目的地に一番近い場所の駐車場を探し出し、そのＧＰＳ位置情報を最適駐車場位置情報として抽出する。
【００８２】
併せて、ステップＳ２０５にて抽出した最適駐車場位置情報の駐車場について、利用予定時間と、駐車場管理テーブル（図９参照）の「料金情報ＤＢ該当アドレス」から、料金情報ＤＢ１６３へアクセスし、駐車場毎に設定されている料金体系（図１３参照）と突き合わせ、駐車場利用金額を算出する。
【００８３】
料金体系については、駐車場の設置場所により、土地価格、立地条件などにより、有効な金額設定（図１２参照）が望ましい。図１２に、その料金体系のイメージ例を示す。
【００８４】
ステップＳ２０６：本システムは、ステップＳ２０５にて検索した駐車場検索結果（含む最適駐車場位置情報）及びステップＳ２０５にて算出した駐車場利用金額を記憶装置１６の目的地格納テーブル（図１３参照）に格納する。
【００８５】
ステップＳ２０７：本システムは、ステップＳ２０４にて採取した「目的地」のＧＰＳ位置情報を検索キーにして、ステップＳ２０６と同様に駐車場管理テーブルに格納されている、各駐車場のＧＰＳ位置情報を全件検索し、最適駐車場の近くにある次候補の駐車場を探し出し、その次候補の駐車場を示す次候補駐車場位置情報を適当な数だけ採取する。併せて、ステップＳ２０５と同様に駐車場料金を算出する。
【００８６】
ステップＳ２０８：本システムは、ステップＳ２０７にて採取した次候補駐車場位置情報の駐車場検索結果をステップＳ２０６と同様に目的地格納テーブル（図１３参照）に格納する。
【００８７】
ステップＳ２０９：本システムは、上記ステップを繰返しするか否か判定し、繰返しする場合（ｙ）には、ステップＳ２０７に戻り、繰返ししない場合（ｎ）は、ステップＳ２０４に戻る。
本システムは、図示していないが、上記ステップＳ２０１〜Ｓ２０９にて採取した目的地に近い有効な駐車場候補地と、それぞれの利用料金を利用者端末装置３０に通知し、利用者の駐車予約に対する返信（回答）を行う。
【００８８】
図１４は、駐車場利用当日の利用者と本システムが行う処理手順の概要を説明するフローチャートである。
【００８９】
ステップＳ１０１：まず、本システムは、利用予約管理機能部１１３にて、管理情報ＤＢ１６４の駐車場管理テーブル（図７参照）を検索し、当日の駐車場利用者の有無を常時チェックする。
【００９０】
ステップＳ１０２：本システムは、駐車場利用該当者の確認を行い、該当者がいる場合（有）は、ステップＳ１０３に進み、該当者がいない場合（無）は、ステップＳ１０５に進む。
【００９１】
ステップＳ１０３：本システムは、ステップＳ１０２にて該当者がいた場合には、利用時刻（予約時刻）と現在時刻とを照合し、駐車開始時刻をチェックする。
【００９２】
ステップＳ１０５：本システムは、ステップＳ１０２、Ｓ１０３にて、該当者がおらず、また、利用時刻（予約時刻）と現在時刻との照合結果、不一致の場合、ステップＳ１０２に戻る。つまり、このステップＳ１０５は、ステップＳ１０２、Ｓ１０３をやり直すための処置である。
【００９３】
ステップＳ１０４：予約駐車場所が空きエリアとなっているか否かを確認する。
空きエリアがある場合（ｙｅｓ）は、ステップＳ１０６に進み、利用者への利用開始通知を行う。空きエリアがない場合（ｎｏ）は、ステップＳ１１２に進み、異常処理を行い、異常警告の通知を行う。
【００９４】
ステップＳ１１２：ステップＳ１０４にて、予約したにも拘らず、空きエリアがないと判定した場合（ｎｏ）には、本システムは、前任者（前利用者）に対して異常警告を通知する。
異常警告の通知とは、例えば、「次の利用者が待っている」、「特別料加算」する旨の通知である。この通知は、利用者端末装置３０を介して利用者に行う。
つまり、本システムは、時間超過を防止するための時間超過防止呼出し機能を有する。
【００９５】
ステップＳ１１３：本システムは、万一、前任者（前利用者）が、不慮の事態で駐車場エリアまで戻れないケースを考慮し、例えば、予備の駐車エリアを適当に設けておき、異常時の代替えとすることを考慮する。併せて、予備駐車場にかかる維持費などについては、前利用者の超過料金などを充当させ、迷惑を受けた次の利用者へは、駐車料金の割引やポイントの加算などで迷惑料を還元する。
【００９６】
ステップＳ１０６：本システムは、本システムから利用者へ利用者端末装置３０を介して駐車開始（利用開始時間）の通知を送信する。
【００９７】
ステップＳ１０７：利用者は、本システムから受けた利用開始通知に対して、予定どおり駐車できたかどうかの結果を本システムに対して、返信する。
【００９８】
予定どおり駐車できたかどうかの結果を本システムに返信する手段は、例えば、図１０に示す駐車場エリアに設置され、通信機能を有する操作装置４１にて構成する。
【００９９】
操作装置のスイッチ「入」ボタンを操作し、駐車に必要な所定の操作を行うと、駐車場エリアに設置したロック機構４２１がロック状態（閉錠状態４２１）から非ロック状態（開錠状態）に変わり、利用者は、非ロック状態にある駐車エリアに車を駐車させることができる。
【０１００】
駐車が完了すると、ロック機構４２１は、ロック状態に戻る。このタイミングで、操作装置４１から本システムへ駐車開始の情報が返信される。
【０１０１】
また、車を駐車エリアに駐車したあと、当該駐車エリアから出庫した場合には、例えば、通信機能を有する操作装置４１にて、利用時間の前後にロック機構４２１がロック状態から非ロック状態に戻ったことを検知して駐車終了信号を本システムに送信するように構成する。
【０１０２】
ステップＳ１０８：本システムは、利用者からの返信結果を確認する。返信結果を確認できない場合（ｎｏ）は、ステップＳ１０６に戻る。
【０１０３】
ステップＳ１０９は、本システムは、利用者の利用時間の管理を開始する。
【０１０４】
ステップＳ１１０：本システムは、利用終了時刻と現在時刻を突き合わせて利用終了時刻を確認する。利用時刻が終了した場合（ｙｅｓ）には、ステップＳ１１１に進み、利用時刻が終了していない場合（ｎｏ）には、ステップＳ１１４に進む。
【０１０５】
もし、利用終了前に、駐車場エリア側から利用終了信号が送られてきた場合は、これを優先し、この時点で駐車利用終了として、次のステップＳ１１１にて料金精算処理を行う。
【０１０６】
予定どおりの利用終了時刻の場合には、利用者に対して利用終了通知を送り、速やかに出庫するように促し、駐車場エリア側から本システムへの駐車終了信号を受け取ったあと、ステップＳ１１１にて料金精算処理を行う。
【０１０７】
料金精算処理は、（１）次の予約駐車場へ移動するための精算、（２）最終利用が終了し、精算する場合の２とおりに大別できる。また、精算処理のため、本システムは、現金、クレジット、その他電子マネーを利用しての精算処理手段を備えている。
【０１０８】
また、クレジット、電子マネーなどのカード決済の場合を考慮して、従来の一般的な支払と同様に、本人照合、パスワード確認、などで本人確認を行い、問題なければ、決済する手段を備えている。
【０１０９】
このときの領収書発行については、一般の駐車場に設置されている精算機のように紙印刷手段であっても、また、利用者端末装置３０へ領収書データを送付し、利用者が必要な場合だけ、例えば、自宅のパーソナルコンピュータなどから印刷できるようにしてもよい。
【０１１０】
利用者への利用終了通知は、例えば、メールなどの通信機能を利用して利用者端末装置３０に通知する。
【０１１１】
ステップＳ１１１：本システムは、料金精算処理を実施する。
【０１１２】
ステップＳ１１４：本システムは、タイマー（図示せず）を待ち状態（Ｗａｉｔ）にして時間待ちを行う。
【０１１３】
以上述べたように、本システムは、サーバ１０（精算管理機能部１１１、駐車場誘導機能部１１２、利用予約管理機能部１１３、ＧＰＳ機能部１１４）、通信装置１５、記憶装置１６、一般者駐車提供端末装置２０、利用者端末装置３０、駐車エリア装置４０、などと連携し、記憶装置１６の各種情報を基に上述した予約処理及利用当日処理を実行する。
【０１１４】
図１５は、駐車場エリアイメージを示す図である。
駐車エリア４０１は、二次エリアを示し、駐車エリアＡと、その付近の駐車エリアＡ１〜Ａｘ、を示している。
【０１１５】
駐車エリア４０２は、駐車エリアＣと、その付近の駐車エリアＣ１〜Ｃｘ、を示し、駐車エリア４０３は、駐車エリアと、その付近の駐車エリアＢ１、Ｂ２，Ｂｘ、Ｂｙ、を示している。駐車エリア４０４は一次エリアを示し、軒下駐車場として、一般者が駐車場を提供しているエリアを示している。
【０１１６】
ここで、例えば、利用者が、駐車エリアＡを予約したい場合、本システムは、駐車エリアＡの位置を軸（中心）にして周辺の駐車場を検索し、併せて、空き状況を確認し、その結果を利用者へ通知する。
【０１１７】
駐車エリアＡ、Ｂ、Ｃ及び一次エリア、二次エリアの駐車利用可能日、駐車可能時間帯については、予め、駐車空き情報ＤＢ１６２に登録しておく。その後は、各駐車エリアで駐車利用が終了する毎に、利用開始時刻、終了時刻、利用時間合計、利用者ｉｄなどの情報を駐車空き情報ＤＢ１６２の各エリアの該当項目を更新する。
【０１１８】
また、自分が借りている月極め駐車場や自分の自宅庭先の空きスペースなどを第三者へ貸し出したい場合には、一般者駐車提供端末装置２０より、日時、貸出可能時間帯などを登録する。
【０１１９】
この登録する情報は、ネットワーク５０を介して駐車空き情報ＤＢ１６２に登録し、駐車空き情報として一般者に公開する。
【０１２０】
次に、図１５において、利用者が自宅から駐車エリア４０２のエリアＣ−駐車エリア４０３のエリアＢ−駐車エリア４０１のエリアＡ又は二次エリア経由で駐車予約を行う例について説明する。
【０１２１】
まず、例えば、各エリアＡ、Ｂ、Ｃ、には、以下のような駐車場の空き情報が登録されているとし、一次エリア、二次エリアの条件が、以下の条件とする。
【０１２２】
Ａエリア：３６５日、２４時間、現在空き時間  ０８：００−１３：００、１７：００−２４：００、１９：００−２４：００
Ｂエリア：３６５日、２４時間、現在空き時間  ０８：００−１０：３０、１２：００−１５：００、１９：００−２４：００
Ｃエリア：３６５日、２４時間、現在空き時間  ０８：００−１０：３０、１２：００−１５：００、１９：００−２４：００
一次エリアの駐車場可能条件；今月のみ、２４時間  現在空き時間帯  １１：００−１３：００、２１：００−２４：００
二次エリアの駐車場可能条件；本日、明日、時間帯  １３：００−２０：００、現在空き時間帯  １３：００−１９：００、２１：００−２４：００のみ
という条件で一次的貸出者が駐車場貸出条件を記録しているとする。
【０１２３】
利用者は、当日、「薬局」、「食事」、「イベント」の３つについて効率的に対応できるように
Ｃエリア付近に「薬局」があり、１１：２０−１１：４０
Ｂエリア付近に「食事街」があり、１２：１５−１３：３０  駐車したい
Ａエリア付近に「イベント会場」があり、１４：００−１５：５０  駐車したい
という条件で、駐車場予約を行う。
【０１２４】
利用者は、利用者端末装置３０から条件を入力し、下記の要件で本システムに駐車空き情報ＤＢ１６２を検索させる。
【０１２５】
このときの入力画面イメージは、以下のとおりである。
2018084906.tif 000003
【０１２６】
本システムによる検索結果イメージは、以下のとおりである。
2018084906.tif 000004
【０１２７】
この結果を受けて、利用者は、
再度、（３）エリア付近：１４：００−１５：５０条件を見直し、（３）二次エリア１４：００−１５：５０へ変更して、再度予約システムへアクセスし、予約を確定する。
【０１２８】
駐車場予約確定イメージは、以下のとおりである。
2018084906.tif 000005
【０１２９】
本例では、利用者の当初の（３）Ａエリア付近１４：００−１５：５０は、予約できなかったが、次候補の（３）二次エリアを確保できたことを示している。
【０１３０】
なお、本システムは、利用者への駐車場検索結果通知時に、駐車場候補地（最適地、次候補地１、次候補地２、次候補地３、・・）を目的に近い順に表示させたり、又は目的地付近で、利用料金の安価な順に表示させることも可能であり、そのための利用者のニーズに合わせた駐車場提供手段を備えている。
【０１３１】
これにより、利用者が、本システムを利用して予約処理を行うと、本システムは、駐車場管理テーブルから駐車空き情報ＤＢ１６２へリンクし、当該駐車空き情報ＤＢ１６２を検索し、予約可能かどうかを判断することができる。
もし、予約可能であり、利用者が予約すると、本システムは、該当する駐車エリアの空き情報（空き１、空き２、・・空きｎ）の該当部位を書き換える（空き情報削除）。
【０１３２】
本実施例によれば、利用者が、例えば、イベント（花火大会など）やコンサートなどに出席したいとき、当日の何時から何時までの時間単位（時間帯）で駐車場の予約ができるため、利用者側は予約した時間に行けばよいため、その利用時間以外の時間を有効に活用でき、また、駐車場管理者側は時間単位で駐車スペースを有効活用できるため、売り上げ向上を期待することが可能である。
【０１３３】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。実施例の構成の一部について、他の構成の追加・削除・置換をすることが可能である。
また、上記の各構成は、それらの一部又は全部を、例えば集積回路で設計する等によりハードウェアで実現してもよい。また、各機能を実現するプログラム、テーブル等の情報は、メモリや、ハードディスク、ＳＳＤ（Ｓｏｌｉｄ  Ｓｔａｔｅ  Ｄｒａｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１３４】
１：駐車場予約システム
１０：サーバ（計算機）
１１１：精算管理機能部
１１２：駐車場誘導機能部
１１３：利用予約管理機能部
１１４：ＧＰＳ機能部
１５：通信装置
１６：記憶装置（管理ＤＢ）
１６１：利用者情報ＤＢ
１６２：駐車空き情報ＤＢ
１６３：料金情報ＤＢ
１６４：管理情報ＤＢ
２０：一般者駐車提供端末装置
３０：利用者端末装置
４０：駐車エリア装置
４１：操作装置
４２：入庫／出庫装置
５０：ネットワーク
【図１】
2018084906.tif 000006
【図２】
2018084906.tif 000007
【図３】
2018084906.tif 000008
【図４】
2018084906.tif 000009
【図５】
2018084906.tif 000010
【図６】
2018084906.tif 000011
【図７】
2018084906.tif 000012
【図８】
2018084906.tif 000013
【図９】
2018084906.tif 000014
【図１０】
2018084906.tif 000015
【図１１】
2018084906.tif 000016
【図１２】
2018084906.tif 000017
【図１３】
2018084906.tif 000018
【図１４】
2018084906.tif 000019
【図１５】
2018084906.tif 000020